(57)【特許請求の範囲】
【請求項１】
建屋の昇降路とエレベータホールとの間の乗降口を形成する三方枠を設ける三方枠設置工程と、
前記三方枠の上部の前記昇降路側にヘッダケースを取り付けるヘッダ取付工程と、
前記三方枠の下部の前記昇降路側に敷居を取り付ける敷居取付工程と、
前記昇降路と前記エレベータホールとの間を仕切るホールドアを全域ヘッダケースに吊下げるホールドア取付工程と、
前記ホールドアと前記三方枠との間に前記ホールドアが閉じられた状態でできる隙間を塞ぐ遮煙装置を取り付ける遮煙装置取付工程と
を備え、
前記遮煙装置は、前記三方枠の上部の前記昇降路側で前記ヘッダケースよりも下側の部分に取り付けられて前記三方枠の上部と前記ホールドアの上部との間にできる隙間を塞ぐ柔軟性および弾性を有し自由端の側面で前記ホールドアの上部に接触して撓む帯状の幕板部遮蔽材と、前記ホールドアの戸袋側縁部に取り付けられて前記三方枠の側部と前記ホールドアの側部との間にできる隙間を塞ぐ柔軟性および弾性を有し自由端の側面で前記三方枠の側部に接触して撓む帯状の戸袋部遮蔽材とを含む
ことを特徴とする遮煙装置付エレベータの組立方法。
【請求項２】
建屋の昇降路とエレベータホールとの間の乗降口を形成する三方枠を設ける三方枠設置工程と、
前記三方枠の上部の前記昇降路側にヘッダケースを取り付けるヘッダ取付工程と、
前記三方枠の下部の前記昇降路側に敷居を取り付ける敷居取付工程と、
前記昇降路と前記エレベータホールとの間を仕切るホールドアを前記ヘッダケースに吊下げるホールドア取付工程と、
前記ホールドアと前記三方枠との間に前記ホールドアが閉じられた状態でできる隙間を塞ぐ遮煙装置を取り付ける遮煙装置取付工程と
を備え、
前記遮煙装置取付工程は、前記ホールドア取付工程よりも後に施工されることを特徴とする遮煙装置付エレベータの組立方法。
【請求項３】
前記遮煙装置取付工程では、前記遮煙装置を取り付ける作業を前記昇降路側から行なうことを特徴とする請求項１に記載の遮煙装置付エレベータの組立方法。
【請求項４】
前記遮煙装置取付工程は、
前記ホールドアが閉じられた状態で突き当たる戸当り部どうしの間にできる隙間を塞ぐ柔軟性および弾性を有する戸当り部遮蔽材を、前記ホールドアの戸当り部に取り付ける作業を前記昇降路側から行なう戸当り部遮煙装置取付工程と、
前記幕板部遮蔽材を、前記三方枠の上部の前記昇降路側で前記ヘッダケースよりも下側の部分に、前記ホールドアを開放した状態で取り付ける作業を前記昇降路側から行なう幕板部遮煙装置取付工程と、
前記戸袋部遮蔽材を、前記ホールドアの戸袋側縁部に取り付ける作業を前記昇降路側から行なう戸袋部遮煙装置取付工程と、
前記敷居と前記ホールドアの下部との間にできる隙間を塞ぐ柔軟性および弾性を有し自由端で前記敷居に接触して撓む帯状の敷居部遮蔽材を、前記ホールドアの下部に取り付ける作業を前記昇降路側から行なう敷居部遮煙装置取付工程と
を備えることを特徴とする請求項１に記載の遮煙装置付エレベータの組立方法。
【請求項５】
前記戸当り部遮煙装置取付工程は、前記ホールドア取付工程よりも前に実施することを特徴とする請求項４に記載の遮煙装置付エレベータの組立方法。
【請求項６】
前記戸袋部遮蔽材は、前記ホールドアの上下方向に沿って長い長円形の取付孔を有し、前記ホールドア取付工程よりも後で位置決め調整が行なわれることを特徴とする請求項４に記載の遮煙装置付エレベータの組立方法。
【請求項７】
前記戸袋部遮蔽材は、前記ホールドア取付工程よりも前に前記ホールドアに装着されることを特徴とする請求項６に記載の遮煙装置付エレベータの組立方法。
【請求項８】
前記敷居部遮蔽材は、前記ホールドアに固定される基端部から前記敷居の上面に接触する先端部に向かう方向に沿って長い長円形の取付孔を有し、前記ホールドア取付工程よりも後で位置決め調整が行なわれることを特徴とする請求項４に記載の遮蔽装置付エレベータの組立方法。
【請求項９】
前記敷居部遮蔽材は、前記ホールドア取付工程よりも前に前記ホールドアに装着されることを特徴とする請求項８に記載の遮煙装置付エレベータの組立方法。
【請求項１０】
前記昇降路内を移動可能な状態にかご室を設置するかご室組立工程をさらに備え、
前記遮煙装置取付工程は、前記かご室組立工程の後、前記かご室の上で実施されることを特徴とする請求項１または請求項２に記載の遮煙装置付エレベータの組立方法。
【発明の詳細な説明】
【技術分野】
【０００１】
本発明は、建屋内で発生した火災の煙がエレベータの昇降路へ浸入することを防止する遮煙装置付エレベータの組立方法に関する。
【背景技術】
【０００２】
建屋の各エレベータホールとエレベータの昇降路との間には、三方枠および敷居によって縁取られた乗降口が設けられている。三方枠の上部には、レールが設けられており、ホールドアが吊下げられている。ホールドアは、エレベータのかごが当該エレベータホールに着床している間に開閉される。ホールドアと三方枠および敷居との間には、わずかな隙間がある。
【０００３】
建屋内で火災が発生した場合、その煙がホールドアと三方枠との間にできる隙間からエレベータの昇降路に浸入する恐れがある。昇降路に浸入した煙の温度が高いと、昇降路を煙が上昇する。そして、昇降路が煙突のように機能し、火勢を強めることとなる。また、他の階層のホールドアと乗降口との隙間から当該階層へ煙が浸入し、火災を拡大する可能性に付いても憂慮されている。
【０００４】
そのため、エレベータホールと昇降路との通気を遮断する遮煙装置が各乗降口に設置される場合がある。この遮煙装置は、乗降口全体を覆うスクリーンを備え、収納された状態から火災時にホールドアのエレベータホール側に展開するものがある。
【発明の開示】
【発明が解決しようとする課題】
【０００５】
遮煙効果を出すためにはなるべくホールドアと乗降口との密閉度が高くなければならないが、スクリーンは、遮煙能力が低く、スクリーンを備える遮煙装置を追加で設置する場合には、取付作業に時間を要する。また、スクリーンを収容するスペースが別途必要となるので、既存のエレベータに追加設置するにあたっては、遮煙装置を設置するためにエレベータの関連部品を変更するのみならず、見栄えの問題からも建屋側の一部の構造を改修する必要が生じる場合もある。
【０００６】
さらに、エレベータを建屋に設置する工事の途中で遮煙装置を取り付ける場合、スクリーン式の遮煙装置を取り付けた後で、溶接やグラインダなどの火の粉が降りかかると、スクリーンを損傷してしまう恐れがある。また、遮煙装置そのもののメンテナンスのためにも、交換作業が容易である必要がある。
【０００７】
そこで、本発明は、外観上の見栄えを損なわない遮煙装置を容易にかつ最適な状態に取り付ける遮煙装置付エレベータの組立方法を提供することを目的とする。
【課題を解決するための手段】
【０００８】
本発明に係る遮煙装置付エレベータの組立方法は、建屋の昇降路とエレベータホールとの間の乗降口を形成する三方枠を設ける三方枠設置工程と、三方枠の上部の昇降路側にヘッダケースを取り付けるヘッダ取付工程と、三方枠の下部の昇降路側に敷居を取り付ける敷居取付工程と、昇降路とエレベータホールとの間を仕切るホールドアをヘッダケースに吊下げるホールドア取付工程と、ホールドアと三方枠との間にホールドアが閉じられた状態でできる隙間を塞ぐ遮煙装置を取り付ける遮煙装置取付工程とを備える。そして、遮煙装置は、三方枠の上部の昇降路側でヘッダケースよりも下側の部分に取り付けられて三方枠の上部とホールドアの上部との間にできる隙間を塞ぐ柔軟性および弾性を有し自由端の側面で前記ホールドアの上部に接触して撓む帯状の幕板部遮蔽材と、ホールドアの戸袋側縁部に取り付けられて三方枠の側部とホールドアのとの間にできる隙間を塞ぐ柔軟性および弾性を有し自由端の側面で前記三方枠の側部に接触して撓む帯状の戸袋部遮蔽材とを含む。
【０００９】
取付と同時に遮煙装置の取付位置を最適な状態に調整できるように、遮煙装置取付工程は、ホールドア取付工程よりも後に施工する。また、遮煙装置取付工程では、遮煙装置を取り付ける作業を昇降路側から行なう。
【００１０】
また、遮煙装置取付工程は、戸当り部遮煙装置取付工程と幕板部遮煙装置取付工程と戸袋部遮煙装置取付工程と敷居部遮煙装置取付工程とを備える。  
戸当り部遮煙装置取付工程では、ホールドアが閉じられた状態で突き当たる戸当り部同士の間にできる隙間を塞ぐ柔軟性および弾性を有する戸当り部遮蔽材を、ホールドアの戸当り部に取り付ける作業を昇降路側から行なう。幕板部遮煙装置取付工程では、三方枠の上部とホールドアの上部との間にできる隙間を塞ぐ柔軟性および弾性を有する幕板部遮蔽材を、三方枠の上部の昇降路側でヘッダケースよりも下側の部分に、ホールドアを開放した状態で取り付ける作業を昇降路側から行なう。戸袋部遮煙装置取付工程では、三方枠の側部とホールドアの側部との間にできる隙間を塞ぐ柔軟性および弾性を有する戸袋部遮蔽材を、ホールドアの戸袋側端部に取り付ける作業を昇降路側から行なう。敷居部遮煙装置取付工程では、敷居とホールドアの下部との間にできる隙間を塞ぐ柔軟性および弾性を有する敷居部遮蔽材を、ホールドアの下部に取り付ける作業を昇降路側から行なう。
【００１１】
現地での作業を軽減するために、戸当り部遮煙装置取付工程は、ホールドア取付工程よりも前に実施する。また、ホールドアと戸袋部との密閉性を高めるために、戸袋部遮蔽材は、ホールドアの上下方向に沿って長い長円形の取付孔を有し、ホールドア取付工程よりも後で位置決め調整を行なう。この場合、戸袋部遮蔽材は、ホールドア取付工程よりも前にホールドアに装着すると、現地での作業を軽減することができる。また、ホールドアの敷居部との密閉性を高めるために、敷居部遮蔽材は、ホールドアに固定される基部から敷居に接触する先端に向かう方向に沿って長い長円形の取付孔を有し、ホールドア取付工程よりも後で位置決め調整を行なう。この場合、敷居部遮蔽材は、ホールドア取付工程よりも前にホールドアに装着することで、現地での作業を軽減することができる。また、遮煙装置付エレベータの組立方法は、遮煙装置の取付および調整作業を容易にするために、昇降路内を移動可能な状態にかご室を設置するかご室組立工程をさらに備え、遮煙装置取付工程は、かご室組立工程の後、かご室の上で実施する。
【発明の効果】
【００１２】
本発明の遮煙装置付エレベータの組立方法によれば、遮煙装置を取り付ける作業を昇降路側から行なう遮煙装置取付工程を備えている。つまり、遮煙装置は、必然的にエレベータホール側から見えない位置に取り付けられることとなる。したがって、外観を損ねることがない。また、ホールドア取付工程の後に遮煙装置取付工程実施するので、ホールドアが三方枠に組み付けられた状態に合せて遮煙装置を取り付けることができる。したがって、乗降口とホールドアとの間の密閉度を最適な状態に設定することができる。
【００１３】
また、ホールドア側に装着される戸袋部遮蔽材および敷居部遮蔽材の取付孔が長円形に形成されており、戸袋遮蔽材および敷居部遮蔽材を上下方向に調整することができる。したがって、ホールドアと三方枠との設置誤差に対して微調整を行い、遮煙装置の密閉度を最適な状態にすることができる。
【発明を実施するための最良の形態】
【００１４】
本発明に係る一実施形態について、図１から図８を参照して説明する。  
まず、遮煙装置付エレベータ１の構成について説明する。  
建屋の昇降路２とエレベータホール３とを連通するエレベータの乗降口４を昇降路２側から見た斜視図を図１に示す。乗降口４は、三方枠５と敷居６とによって囲われている。三方枠５と敷居６とは、いずれも建屋の壁面に昇降路２側から取り付けられている。
【００１５】
三方枠５は、幕板部５ａと側部５ｂとで門形に構成されている。幕板部５ａは、乗降口４の上部に位置し、側部５ｂは、幕板部５ａの両端からそれぞれ下方に向かって延びている。幕板部５ａには、昇降路２側からヘッダケース７が取り付けられている。ヘッダケース７は、水平に配置されるドアレール８を備える。ドアレール８には、上部１０ａに懸架装置９が取り付けられたホールドア１０が吊下げられている。懸架装置９は、ドアレール８に転接する複数の懸架ローラを内蔵している。懸架ローラは、それぞれ上下方向およびドアレール８を横切る方向に微調整可能に設けられており、これにより、ホールドア１０の位置を調整する。
【００１６】
敷居６は、側部５ｂの下端をつなぐように水平方向に配置されている。敷居６には、ドアレール８と平行に延びる溝１１が設けられている。溝１１の底部１１ａには、ごみなどの異物を排出するための排出孔１２が数か所設けられている。溝１１の両側壁１１ｂには、図５に示すように、ホールドア１０の下部１０ｂに設けられるガイドシュー１３が摺接している。ガイドシュー１３は、ホールドア１０の移動方向に２か所設けられている。ホールドア１０は、ドアレール８および溝１１に案内され、滑らかに移動する。なお、ガイドシュー１３の代わりに溝１１の両側壁１１ｂに個別に転接するガイドローラを設けても良い。
【００１７】
ホールドア１０は、両開きとなるように２枚設けられており、乗降口４を塞ぐ大きさを有している。ホールドア１０と三方枠５および敷居６との間には、遮煙装置２０が設けられている。遮煙装置２０は、ホールドア１０が閉じられた状態でできる隙間を塞ぐ。遮煙装置２０は、戸当り部遮蔽材２１と幕板部遮蔽材２２と戸袋部遮蔽材２３と敷居部遮蔽材２４とを備える。
【００１８】
戸当り部遮蔽材２１は、図２に示すように、ホールドア１０が互いに付き合わされる戸当り部１０ｃにそれぞれ取り付けられている。ホールドア１０の戸当り部１０ｃは、昇降路２側に折り返されており、戸当り部遮蔽材２１は、折り返された端部１０ｄに昇降路２側からボルト２５で固定されている。戸当り部遮蔽材２１は、ホールドア１０の移動方向にホールドア１０の戸当り部１０ｃ側へ突出しており、ホールドア１０が閉じられた状態で全長にわたって互いに密着し、ホールドア１０同士の間にできる隙間を密閉する。戸当り部遮蔽材２１は、柔軟性および弾性を有した部材、例えば塩化ビニールや硬質ゴムなどによって形成されている。また、戸当り部遮蔽材２１として、難燃性の合成樹脂を使用することも好ましい。戸当り部遮蔽材２１は、ホールドア１０が閉じて互いに突き合わさるときの衝撃や騒音を吸収するクッション材を兼ねている。
【００１９】
幕板部遮蔽材２２は、図３に示すように、幕板部５ａの下端から昇降路２側に向かって延びるブラケット５ｃとホールドア１０に向かって折れ曲がった押え板２６との間に基端部２２ａが挟まれ、昇降路２側から螺挿される止めねじ２７で固定されている。幕板部遮蔽材２２は、押え板２６に沿ってホールドア１０側に延び、先端部２２ｂがホールドア１０の上部１０ａに摺接している。幕板部遮蔽材２２は、ホールドア１０が閉じられた状態でホールドア１０の上部１０ａと幕板部５ａとの間にできる隙間を塞ぐ。幕板部遮蔽材２２は、柔軟性および弾性を有した部材、例えば、ゴムなどによって形成されている。また、幕板部遮蔽材２２は、ホールドア１０と摺接するので、耐磨耗性も考慮した難燃性の合成樹脂を使用することも好ましい。
【００２０】
戸袋部遮蔽材２３は、図４に示すように、ホールドア１０の戸袋側縁部１０ｅに取り付けられている。ホールドア１０の戸袋側縁部１０ｅは、昇降路２側に折り返されている。ホールドア１０が開かれる場合に進行方向の先端側となる端面１０ｆに戸袋部遮蔽材２３の基端部２３ａが押え板２８を宛がわれて止めねじ２９で固定されている。押え板２８の三方枠５側の端部２８ａは、ホールドア１０から離れる方向に折り起こされている。戸袋部遮蔽材２３は、ホールドア１０を閉じた状態で三方枠５の側部５ｂと接触し、ホールドア１０の戸袋側縁部１０ｅと三方枠５の側部５ｂとの間にできる隙間を塞ぐ。また、戸袋部遮蔽材２３に設けられる取付孔２３ｂは、図７に示すように、上下方向に沿って長い長円形に形成されている。戸袋部遮蔽材２３は、柔軟性および弾性を有した部材、例えばゴムなどによって形成されている。また、ホールドア１０が開閉されることによって、戸袋部遮蔽材２３は、三方枠５の側部５ｂに当って繰り返し曲げられるので、耐磨耗性および復原性を考慮した難燃性の合成樹脂を使用することも好ましい。
【００２１】
敷居部遮蔽材２４は、図５に示すように、ホールドア１０の下部１０ｂに沿って取り付けられた下梁１４に取り付けられている。下梁１４は、ホールドア１０に当接する前壁１４ａから昇降路２側に向かって斜めに延びる下縁部１４ｂを有している。敷居部遮蔽材２４の基端部２４ａは、下縁部１４ｂと抑え板３０との間に挟まれ、止めねじ３１で固定されている。押え板３０は、ホールドア１０側に向かって折り曲げられている。したがって、敷居部遮蔽材２４は、押え板３０に沿って折り返されてエレベータホール３側に向かって延びている。敷居部遮蔽材２４の先端部２４ｂは、ホールドア１０の下端１０ｇよりも下方に延びて、溝１１よりもエレベータホール３側の敷居６の上面６ａに摺接している。また、敷居部遮蔽材２４に設けられる取付孔２４ｃは、敷居部遮蔽材２４の基端部２４ａから先端部２４ｂに向かう方向に長い長円形に形成されている。敷居部遮蔽材２４は、柔軟性および弾性を有した部材、例えばゴムなどによって形成されている。また、敷居部遮蔽材２４は、敷居６と摺接するので、耐磨耗性も考慮した難燃性の合成樹脂を使用することも好ましい。
【００２２】
以上のように構成される遮煙装置付エレベータ１は、ホールドア１０と乗降口４との間にできる隙間を塞ぐ遮煙装置２０が設けられており、昇降路２とエレベータホール３との通気が遮断されているので、火災が発生した場合に、火災によって発生した煙がエレベータホール３側から昇降路２内に流入することを防ぐことができる。つまり、昇降路２が煙突化することを防止することができるので、火災の拡大を抑えることができる。また、他の階へ火災によって発生した煙やガスが拡散することを防止することができる。
【００２３】
次に、以上のように構成される遮煙装置付エレベータ１の組立手順について図９を参照して説明する。  
エレベータ１の組立工程において、まず、建屋の昇降路２内に、材料が搬入される（Ｓ１）とともに、吊り元が設置される（Ｓ２）。次に、最下層から順にレールや枠などを取り付けていく（Ｓ３）。また、必要に応じて昇降路２内に足場を設置する（Ｓ４）。レールや枠が最上階まで組みあがると、三方枠設置工程Ｓ５とヘッダ取付工程Ｓ６と敷居取付工程Ｓ７とホールドア取付工程Ｓ８と遮煙装置取付工程Ｓ９が施工される。
【００２４】
三方枠設置工程Ｓ５では、三方枠５を昇降路２側から組み付ける。ヘッダ取付工程Ｓ６では、ヘッダケース７を三方枠５の上部である幕板部５ａに取り付ける。敷居取付工程Ｓ７では、敷居６を三方枠５の下部、つまり側部５ｂの下端に昇降路２側から取り付ける。ホールドア取付工程Ｓ８では、ヘッダケース７に設けられたドアレール８にホールドア１０を吊下げる。このとき同時にガイドシュー１３が、敷居６の溝１１に挿入される。また、懸架装置９およびガイドシュー１３を調整して、ホールドア１０の位置を微調整する。
【００２５】
遮煙装置取付工程Ｓ９では、遮煙装置２０を取り付ける作業を昇降路２側から行なう。遮煙装置取付工程Ｓ９は、さらに細かく戸当り部遮煙装置取付工程Ｓ９１と幕板部遮煙装置取付工程Ｓ９２と戸袋部遮煙装置取付工程Ｓ９３と敷居部遮煙装置取付工程Ｓ９４とに分けることができる。
【００２６】
戸当り部遮煙装置取付工程Ｓ９１では、両開きに設けられたホールドア１０が互いに突き当たる戸当り部１０ｃに戸当り部遮蔽材２１を取り付ける。なお、ホールドア１０は、両開きの対になる組合せが予め決まっていることが多い。したがって、戸当り部遮煙装置取付工程Ｓ９１は、ホールドア取付工程Ｓ８よりも前に行なうこともできる。具体的には、エレベータ１の設置される建屋に工場から出荷される前に工場で予め行なってしまうと、エレベータ設置工事における現地での作業を軽減することができる。
【００２７】
幕板部遮煙装置取付工程Ｓ９２では、幕板部遮蔽材２２をヘッダケース７よりも下側の幕板部５ａに取り付ける。幕板部遮蔽材２２は、幕板部５ａ側に基端部２２ａが固定され、閉じられたホールドア１０の上部１０ａに先端部２２ｂが摺接する。したがって、幕板部遮煙装置取付工程Ｓ９２は、図６に示すように、ホールドア１０を開放した状態で幕板部遮蔽材２２を取り付ける。なお、幕板部遮煙装置取付工程Ｓ９２は、ホールドア取付工程Ｓ８の前に実施することで、ホールドア１０が邪魔になることなく作業を容易に行なうことができるようになる。
【００２８】
戸袋部遮煙装置取付工程Ｓ９３では、図７に示すように、戸袋部遮蔽材２３をホールドア１０の戸袋側の端面１０ｆに取り付け、上下方向に長く形成された取付孔２３ｂの範囲内において上下方向の取付位置が調整される。これにより、ホールドア１０の戸袋側縁部１０ｅと三方枠５の側部５ｂとの間の密閉度が最適な状態に調整される。
【００２９】
敷居部遮煙装置取付工程Ｓ９４では、図８に示すように、敷居部遮蔽材２４をホールドア１０の下部１０ｂに取り付け、敷居部遮蔽材２４の基端部２４ａから先端部２４ｂに向かう方向に長い取付孔２４ｃの範囲内で取付位置が調整される。これにより、ホールドア１０の下部１０ｂと敷居６との間の密閉度が最適な状態に調整される。
【００３０】
なお、密閉度が最適な状態とは、ホールドア１０と乗降口４との間にできる隙間を閉じて昇降路２とエレベータホール３との通気を遮断し、かつ、戸袋部遮蔽材２３が三方枠５の側部５ｂに、敷居部遮蔽材２４の先端部２４ｂが敷居６の上面６ａにそれぞれホールドア１０の開閉動作の妨げとならない強さで押し当てられる状態をいう。幕板部遮蔽材２２、戸袋部遮蔽材２３、敷居部遮蔽材２４は、予めそれぞれの押え板２６，２８，３０に対して一体に接着固定しておくと、装着作業を簡単に行なうことができる。
【００３１】
また、戸袋部遮蔽材２３と敷居部遮蔽材２４の取付孔２３ｂ，２４ｃが長円形に形成されているので、工場から出荷する前に戸袋部遮蔽材２３および敷居部遮蔽材２４を取付孔２３ｂ，２４ｃの中央部で仮止めした状態まで施工し、現地での作業を調整作業のみにすることで現地での作業を軽減することができる。
【００３２】
遮煙装置取付工程Ｓ９の完了後は、巻上機および制御盤の設置（Ｓ１０）、昇降路２内の配管および配線（Ｓ１１）、エレベータ１のかご枠および釣合い錘の組立（Ｓ１２）、かご室４０の組立（Ｓ１３）、ロープ巻掛け（Ｓ１５）、試運転調整（Ｓ１６）等、主に溶接やグラインダ作業など火の粉の飛散するような作業を含まない工程が施工される。
【００３３】
また、戸当り部遮蔽材２１と幕板部遮蔽材２２と戸袋部遮蔽材２３と敷居部遮蔽材２４とで構成される遮煙装置２０は、ホールドア取付工程Ｓ８を行なった後に昇降路２側から取付作業および調整作業を実施することができる。したがって、かご室４０の組立が完了し、エレベータとして稼働するようになった後で、かご室４０の天井を足場にして、遮煙装置２０を昇降路２側から取り付けたり調整したりすることができる。また、遮煙装置２０をメンテナンスなどの際に、交換することも可能である。
【００３４】
三方枠設置工程Ｓ５とヘッダ取付工程Ｓ６と敷居取付工程Ｓ７とホールドア取付工程Ｓ８と遮煙装置取付工程Ｓ９とは、予め工場で行なってしまい、三方枠５と敷居６とホールドア１０と遮煙装置２０とを組合わせたユニットの状態で、昇降路２内に持ち込み、取り付けることも可能である。この場合、現地での作業は、ホールドア１０の動作確認および微調整と、遮煙装置２０の密閉度確認および微調整とを行なうだけでよいので、現地での作業が大幅に軽減される。
【００３５】
なお、図９に示す組立手順は、遮煙装置付エレベータ１の組立手順の一例を示すものであって、上述のように、遮煙装置２０の取付をホールドア取付工程の前に行なうことや、かご室４０が組み立てられた後にかご室４０の天井を足場代わりに遮煙装置２０の取付作業を行なうことも可能である。
【図面の簡単な説明】
【００３６】
【図１】本発明に係る一実施形態の遮煙装置付エレベータの組立方法によって組み立てられた三方枠とホールドアとを昇降路側から示す斜視図。
【図２】図１中のＦ２−Ｆ２に沿ってホールドアの戸当り部周辺を示す断面図。
【図３】図１中のＦ３−Ｆ３に沿ってホールドアの上部および三方枠の幕板部を示す断面図。
【図４】図１中のＦ４−Ｆ４に沿ってホールドアの戸袋側周辺を示す断面図。
【図５】図１中のＦ５−Ｆ５に沿ってホールドアの下部および敷居を示す断面図。
【図６】図１のホールドアを開放した状態で幕板部遮蔽材の戸袋側端部を拡大して示す分解斜視図。
【図７】図１の戸袋部遮蔽材の取付孔周辺を一部拡大して示す分解斜視図。
【図８】図１の敷居部遮蔽剤の取付孔周辺を一部拡大して示す分解斜視図。
【図９】遮煙装置付エレベータの組立手順の工程を示す図。
【符号の説明】
【００３７】
１…遮煙装置付エレベータ、２…昇降路、３…エレベータホール、４…乗降口、５…三方枠、５ａ…幕板部、５ｂ…側部、６…敷居、６ａ…上面、７…ヘッダケース、１０…ホールドア、１０ａ…上部、１０ｂ…下部、１０ｃ…戸当り部、１０ｅ…戸袋側縁部、２０…遮煙装置、２１…戸当り部遮蔽材、２２…幕板部遮蔽材、２３…戸袋部遮蔽材、２３ｂ…取付孔、２４…敷居部遮蔽材、２４ａ…基端部、２４ｂ…先端部、２４ｃ…取付孔、４０…かご室、Ｓ５…三方枠設置工程、Ｓ６…ヘッダ取付工程、Ｓ７…敷居取付工程、Ｓ８…ホールドア取付工程、Ｓ９…遮煙装置取付工程、Ｓ９１…戸当り部遮煙装置取付工程、Ｓ９２…幕板部遮煙装置取付工程、Ｓ９３…戸袋部遮煙装置取付工程、Ｓ９４…敷居部遮煙装置取付工程。
【図１】
0004703960.tif 000002
【図２】
0004703960.tif 000003
【図３】
0004703960.tif 000004
【図４】
0004703960.tif 000005
【図５】
0004703960.tif 000006
【図６】
0004703960.tif 000007
【図７】
0004703960.tif 000008
【図８】
0004703960.tif 000009
【図９】
0004703960.tif 000010